(57)【要約】【課題】  画像読取時及び参照時に不正な作成、参照、改ざんを防止、検出するイメージ取得デバイス及びシステムを提供する。【解決手段】  イメージ取得デバイスにて画像を取得する際、通常の読取対象物に加えて操作員の静脈や指紋等の生体識別情報となる画像を同一画像内に撮像し、生体情報を識別する。識別された結果があらかじめ登録してある読取操作が許可された人物であると判定された場合、生体識別情報を電子透かしとして付加する。  判定結果が不正な場合、異常終了とする。前記装置にて取得された画像を参照する場合、再度参照画像内の生体情報を識別して電子透かしデータと一致するか、許可された操作員によって取得されているか確認し、参照者の生体識別情報を取得・識別して権限がある場合は参照画像に付加する。判定結果が不正な場合、異常終了とする。【選択図】  図１
2005322095.tif 000002
【特許請求の範囲】
【請求項１】
読取台の上方に配置したカメラ部にて読取台上の対象物の画像を読み取る画像読取装置であって、前記対象物とともに操作者の生体識別情報画像を同一画像内に撮像することを特徴とする画像入力装置。
【請求項２】
請求項１に記載の画像入力装置であって、
前記カメラ部は生体識別情報を取得する領域と他の領域とで、異なる特性の撮像フィルターを用いて前記各領域毎に画像を撮像することを特徴とする画像入力装置。
【請求項３】
請求項２に記載の画像入力装置であって、
前記読取台上の画像読取開始スイッチと、
前記画像読取開始スイッチの押下によって下方から赤外線を照射する照明部と、
当該画像読取開始スイッチ周辺以外の撮像領域につき赤外線を遮断する特性を有する前記撮像フィルターとからなり、
前記画像読取開始スイッチの押下によって撮像対象物と操作者の生体識別情報とを同時に撮像することを特徴とする画像入力装置。
【請求項４】
請求項３に記載の画像入力装置であって、
前記操作者の生体識別情報を認識し、あらかじめ登録しておいた情報と照合が取れた場合に当該識別情報を読取画像に電子透かしとして付加することを特徴とする画像入力装置。
【請求項５】
請求項１〜４のいずれかに記載の画像入力装置であって、
前記生体識別情報は操作者の指静脈もしくは指紋であることを特徴とする画像入力装置。
【発明の詳細な説明】
【技術分野】
【０００１】
本発明は画像入力装置、画像入力システム、及び画像操作システムに関する。
【背景技術】
【０００２】
近年のパソコンやインターネットの普及に伴い、デジタル画像を容易に入手したり加工することが可能となっている。それに伴い、画像データの不正改竄や不正コピー等が以前にも増して問題化しつつある。そこでこのような問題を解決するために、人間が一見識別できないような情報をデータに付加する方式として電子すかし方式が開発されている。
【０００３】
これはコンテンツの作成時に電子すかしをコンテンツに埋め込み、コンテンツの参照時に電子すかしデータを確認することによって不正アクセスおよび不正改竄、不正コピー等を防止するものである。上記電子透かしとして登録する情報として個人生体識別情報があり、指紋・静脈情報等を取得、照合して電子透かしデータとして登録する。
【０００４】
このような個人生体識別情報を用いた電子すかしに関する技術としては、特開２０００−２９５４５８号公報（特許文献１）に記載のものがある。
【０００５】
【特許文献１】特開２０００−２９５４５８号公報
【発明の開示】
【発明が解決しようとする課題】
【０００６】
生体識別情報を取得する方法として、特許文献１のように、別途生体識別情報取得デバイスをイメージ取得デバイスやパソコンに組込み、連動させて使用する方法が適用されている。しかし、専用の生体識別情報取得デバイスを用意する必要があるためコストが高くなる。
【０００７】
また、画像と生体識別情報を別々に取得するため、作業効率が悪く、データの整合性が低いため電子透かし情報が不正に付加されても検出することが困難である。従って、低コストで信頼性の高いセキュリティ機能を擁したイメージ取得デバイス及びシステムの開発が望まれる。
【課題を解決するための手段】
【０００８】
本発明はイメージ取得デバイス及びシステムにおいて、生体識別情報を取得する手段と、生体識別情報を認識する手段と、その情報を登録する手段と、取得した情報と登録した情報を照合する手段と、取得した個人生体情報を画像内に付加する電子透かし機能を有することを特徴とする。
【０００９】
通常の読取対象物に加えて操作員の静脈や指紋等の生体識別情報となる画像を同一画像内に撮像し、生体情報を識別する。識別された結果が、あらかじめ登録してある読取操作が許可された人物であると判定された場合、生体識別情報を電子透かしとして付加する。判定結果が不正な場合、異常終了とする。
【００１０】
前記装置にて取得された画像を参照する場合、再度参照画像内の生体情報画像を識別して電子透かしデータと一致するか、許可された操作員によって取得されているか確認し、参照者の生体識別情報を取得・識別して権限がある場合は参照画像に参照者の生体識別情報を電子透かしとして付加し、参照権限を与える。判定結果が不正な場合、異常終了とする。
【発明の効果】
【００１１】
イメージ入力時に操作員の個人生体識別情報を取得し、その情報をもとに使用権限を判定し、識別情報を電子透かしとして付加し、ファイル参照時に再度照合を実施し、参照ログを電子透かしとして記録することにより、不正参照、不正コピー、不正改ざんを防止し、システムの信頼性を高める。また、新たに生体識別情報取得用センサーを追加することなく、読取ボタン押下の契機にて1つのカメラにより読取画像と生体識別用静脈画像を同時に取得することにより、作業効率改善、コストダウン、読取画像と生体識別情報及び電子透かし情報との整合性による信頼性向上の効果がある。
【発明を実施するための最良の形態】
【００１２】
図１乃至図４を用いて本発明の実施例を説明する。
【実施例１】
【００１３】
図１は本発明のイメージ取得デバイス１００の外観図である。カメラ部１１０にはＣＣＤ等の画像取得センサーが搭載されており、イメージを撮像する。撮像範囲としては読取台１３０の領域に加え、読取スイッチ１２０の領域も含まれる。読取スイッチ１２０にはＬＥＤ等の照明が内蔵されており、読取スイッチ１２０を指で押下すると照明が点灯して、指の静脈を鮮明にする。
【００１４】
図２はカメラ部１１０のレンズ部に装着されたフィルタを介して撮像する際の、カメラ部から見た読取台１３０周辺のフィルタの配置を説明するものである。読取スイッチ１２０の領域に対しては、静脈読取に適したフィルター（赤外線を感知するフィルター等）１３１を使用し、それ以外の領域は通常のイメージを取得するのに適したフィルター１３２を使用する。
【００１５】
図３は本願発明の画像入力装置を用いて新規に画像を取り込み、同時に、取り込んだ画像に電子透かしデータを付与する手順を説明するフローチャートである。読取スイッチが押下されると（Ｓ３０１）、読取スイッチが点灯し、カメラ部にて静脈画像及び通常の読取領域を同時に撮像する（Ｓ３０２）。撮像した画像の中から、静脈画像を用いて識別処理が実施され（Ｓ３０３）、あらかじめ登録しておいた読取操作を許可された使用者の識別情報と照合を行なう（Ｓ３０４）。照合が取れた場合、識別情報を電子透かしとして画像に埋め込み（Ｓ３０５）、正常読取とする（Ｓ３０６）。照合が取れない場合、異常終了となる（Ｓ３０７）。
【００１６】
静脈照合処理は、イメージ取得デバイスに搭載したＣＰＵもしくはパソコン側にて実施する。これにより、イメージ取得デバイスの使用者を限定する。また、本機能をＯＦＦにすることにより、イメージ取得デバイスの使用制限を解除することができる。
【００１７】
生体識別情報という人間各自固有の情報を画像入力時に取得・付加することにより、後々誰によって取得された画像なのかを判別することが可能となり、画像入力時に不正に画像を取得されることを防止する。また、読取スイッチ押下という自然な行為を契機として、１つのデバイスにて読取対象物と生体識別対象物を同時に撮像することにより、作業効率が改善され、コストを安く抑えることができる。
【００１８】
上記システムにて取得した画像を参照する場合、再度画像内の静脈画像を用いて識別処理を実施し、識別結果が参照画像内に付加されている電子透かし情報と一致し、あらかじめ登録しておいた読取操作を許可された使用者の識別情報と照合が取れた場合、ファイルが正常と判定する。照合がとれなかった場合は、参照するファイルが不正としてアラームをあげる。参照画像内に生体識別画像が残っているので、再度認識処理を実施して電子透かしデータ及び登録されている許可者と照合することにより、画像が正規に取得されたことを再度確認することが可能となり、信頼性の高いシステムとなる。
【００１９】
図４は、上記システムにて取得した画像を、例えば他のパソコン等を用いて参照する場合の手順を説明するフローチャートである。画像の参照時（Ｓ４０１）に、上記イメージ取得デバイスもしくは専用の生体情報取得デバイスを利用して参照時の操作員の静脈画像を取得し、識別情報（１）を認識する（Ｓ４０２）。
【００２０】
次に、参照すべき画像内に記録された静脈画像情報（２）と電子透かしデータ（３）とを認識し（Ｓ４０３）、それらが正しく対応したものであり、かつ、前記操作者の識別情報（１）との組合せにおいて、あらかじめ登録しておいた参照操作を許可された使用者に該当するかを判定する（Ｓ４０４）。参照可能と判定された場合はファイルへのアクセスを許可し、参照した画像データに参照者の識別情報を電子透かしとして組込み、参照ログとして記録する（Ｓ４０５）。また、参照不可と判断された場合はアラームを発出して異常終了とする（Ｓ４０７）。
【００２１】
なお、本機能をＯＦＦにすることにより、上記イメージ取得デバイスにて取得した画像参照に関する制限を解除することができる。また、参照した結果を電子透かしとして残すため、トレーサビリティが向上する。
【図面の簡単な説明】
【００２２】
【図１】本願発明の装置外観図である。
【図２】本願発明装置のフィルタレイアウトの構成図である。
【図３】本願発明における画像取得手順のフローチャートである。
【図４】本願発明における画像参照手順のフローチャートである。
【符号の説明】
【００２３】
１００・・・イメージ取得デバイス、１１０・・・カメラ部、１２０・・・読取スイッチ、１３０・・・読取台、１３１・・・静脈読取用フィルター、１３２・・・通常画像読取用フィルター
【図１】
2005322095.tif 000003
【図２】
2005322095.tif 000004
【図３】
2005322095.tif 000005
【図４】
2005322095.tif 000006